(57)【要約】【課題】供給電流量が小さい電動膨張弁の駆動用の電源回路を提供する。【解決手段】電動膨張弁３を駆動するための電源回路２０は、駆動用電源回路２１と、蓄電装置２２と、第１スイッチ２３と、第２スイッチ２４と、これらスイッチを制御する制御回路２５とを備えている。制御回路２５は、電動膨張弁３が駆動する駆動期間においては、第１スイッチ２３により駆動用電源回路２１と蓄電装置２２との間を非接続状態にするとともに第２スイッチ２４により蓄電装置２２と電動膨張弁３との間を接続状態にして電動膨張弁３に電力を供給する。一方、電動膨張弁３が駆動しない非駆動期間においては、第１スイッチ２３により駆動用電源回路２１と蓄電装置２２との間を接続状態にするとともに第２スイッチ２４により蓄電装置２２と電動膨張弁３との間を非接続状態にする。【選択図】図２
2012172719.tif 000002
【特許請求の範囲】
【請求項１】
空気調和機に設けられ、断続的に駆動する電動膨張弁（３）について、この電動膨張弁に対して電力を供給する電源回路（２０）において、
前記電動膨張弁（３）を駆動する電力を形成する駆動用電源回路（２１）と、前記駆動用電源回路（２１）からの電力供給により充電するともに放電により前記電動膨張弁（３）に電力供給する蓄電装置（２２）と、前記駆動用電源回路（２１）と前記蓄電装置（２２）との間を接続状態および非接続状態に切り換える第１スイッチ（２３）と、前記蓄電装置（２２）と前記電動膨張弁（３）の間を接続状態および非接続状態に切り換える第２スイッチ（２４）と、前記第１スイッチ（２３）および前記第２スイッチ（２４）を制御する制御回路（２５）とを備え、前記蓄電装置（２２）の容量は、前記電動膨張弁（３）を１回駆動させるために必要な電力に相当する大きさ以上であり、
前記制御回路（２５）は、前記電動膨張弁（３）を駆動する駆動期間において、前記第１スイッチ（２３）により前記駆動用電源回路（２１）と前記蓄電装置（２２）との間を非接続状態にするとともに前記第２スイッチ（２４）により前記蓄電装置（２２）と前記電動膨張弁（３）との間を接続状態にして前記電動膨張弁（３）に電力供給し、
前記電動膨張弁（３）を駆動しない非駆動期間においては、前記第１スイッチ（２３）により前記駆動用電源回路（２１）と前記蓄電装置（２２）との間を接続状態にするとともに前記第２スイッチ（２４）により前記蓄電装置（２２）と前記電動膨張弁との間を非接続状態にする
ことを特徴とする電源回路。
【請求項２】
請求項１に記載の電源回路において、
前記第２スイッチ（２４）はトランジスタにより構成され、
前記トランジスタのコレクタ許容電流量は、前記電動膨張弁（３）を駆動させるために必要な電流量よりも大きい
ことを特徴とする電源回路。
【請求項３】
請求項１または２に記載の電源回路において、
前記制御回路（２５）は、前記電動膨張弁（３）の駆動前に、前記第１スイッチ（２３）により前記駆動用電源回路（２１）と前記蓄電装置（２２）との間を非接続状態にするとともに、前記第２スイッチ（２４）により前記蓄電装置（２２）と前記電動膨張弁（３）との間を接続状態にする
ことを特徴とする電源回路。
【請求項４】
請求項１〜３のいずれか一項に記載の電源回路において、
前記電動膨張弁（３）の電力供給線（４２）には電源電圧が印加されている
ことを特徴とする電源回路。
【請求項５】
請求項１〜４のいずれか一項に記載の電源回路において、
前記蓄電装置（２２）はコンデンサである
ことを特徴とする電源回路。
【発明の詳細な説明】
【技術分野】
【０００１】
本発明は、空気調和機に設けられた断続的に駆動する電動膨張弁に対して電力を供給する電源回路に関する。
【背景技術】
【０００２】
空気調和機の電動膨張弁を駆動させるための電源回路として、例えば特許文献１に示されるものが知られている。すなわち、図４に示すように、電源回路１２０の電力線が直接電動膨張弁のコイル１４１に接続されている。電動膨張弁を駆動する際には、電動膨張弁のコイル１４１と接地線とを接続状態および非接続状態の間で切り換えることにより、コイル１４１に流す電流を制御する。
【先行技術文献】
【特許文献】
【０００３】
【特許文献１】特開平０６−８１９７５号公報
【発明の概要】
【発明が解決しようとする課題】
【０００４】
ところで、電源回路は、この電源回路に接続される各種の電子部品の駆動電圧および電流量を考慮して設計される。例えば、電源回路の供給電流量は、電源回路に接続されている電子部品のうち最も電流量が大きい電子部品が電力供給不足により動作しなくなることのないように、電源回路の供給電流量が設定されている。
【０００５】
一方、電源回路の供給電流量を小さくしたいという要求がある。電源回路の供給電流量を従来よりも小さくすることができれば、電源回路の構成部品として、許容電流量の小さい電子部品すなわち小型の電子部品を用いることができ、その分、電源回路を小さくすることができるためである。しかし、電動膨張弁用の電源回路は、電動膨張弁を駆動させるために必要な電流量以上の電流供給能力を備える必要があるため、電源回路の供給電力量を小さくすることは困難である。
【０００６】
本発明はこのような実情に鑑みてなされたものであり、その目的は、供給電流量が小さい電動膨張弁の駆動用の電源回路を提供することにある。
【課題を解決するための手段】
【０００７】
請求項１に記載の発明は、空気調和機に設けられ、断続的に駆動する電動膨張弁について、この電動膨張弁に対して電力を供給する電源回路において、前記電動膨張弁を駆動する電力を形成する駆動用電源回路と、前記駆動用電源回路からの電力供給により充電するともに放電により前記電動膨張弁に電力供給する蓄電装置と、前記駆動用電源回路と前記蓄電装置との間を接続状態および非接続状態に切り換える第１スイッチと、前記蓄電装置と前記電動膨張弁の間を接続状態および非接続状態に切り換える第２スイッチと、前記第１スイッチおよび前記第２スイッチを制御する制御回路とを備え、前記蓄電装置の容量は、前記電動膨張弁を１回駆動させるために必要な電力に相当する大きさ以上であり、前記制御回路は、前記電動膨張弁を駆動する駆動期間において、前記第１スイッチにより前記駆動用電源回路と前記蓄電装置との間を非接続状態にするとともに前記第２スイッチにより前記蓄電装置と前記電動膨張弁との間を接続状態にして前記電動膨張弁に電力供給し、前記電動膨張弁を駆動しない非駆動期間においては、前記第１スイッチにより前記駆動用電源回路と前記蓄電装置との間を接続状態にするとともに前記第２スイッチにより前記蓄電装置と前記電動膨張弁との間を非接続状態にすることを要旨としている。
【０００８】
従来の電源回路では、供給電流量は、電動膨張弁の駆動に必要な電流量以上の大きさとされている。これにより電動膨張弁を確実に駆動させる。しかし、電動膨張弁が駆動していない期間は、電動膨張弁により電流が消費されないため、電源回路の電力供給能力に余裕が生じる。この点を鑑み、上記発明では、電動膨張弁が駆動しない非駆動期間は、上記２つのスイッチを上記構成のように制御することにより、駆動用電源回路からの電力供給により蓄電装置を充電する。一方、電動膨張弁が駆動する駆動期間は、上記２つのスイッチを上記構成のように制御することにより、蓄電装置の放電により電動膨張弁に電力を供給する。すなわち、駆動用電源回路により電動膨張弁に電力を供給せず、蓄電装置により電動膨張弁に電力を供給する構成としているため、電源回路の供給電流量を電動膨張弁の電流量よりも小さくすることができる。
【０００９】
請求項２に記載の発明は、請求項１に記載の電源回路において、前記第２スイッチはトランジスタにより構成され、前記トランジスタのコレクタ許容電流量は、前記電動膨張弁を駆動させるために必要な電流量よりも大きいことを要旨としている。
【００１０】
この発明によれば、コレクタ許容電流量が電動膨張弁を駆動させるために必要な電流量よりも大きいトランジスタにより第２スイッチが構成されているため、蓄電装置からの放電量を、電動膨張弁を駆動させるために必要な電流量相当の大きさにすることができる。
【００１１】
請求項３に記載の発明は、請求項１または２に記載の電源回路において、前記制御回路は、前記電動膨張弁の駆動前に、前記第１スイッチにより前記駆動用電源回路と前記蓄電装置との間を非接続状態にするとともに、前記第２スイッチにより前記蓄電装置と前記電動膨張弁との間を接続状態にすることを要旨としている。
【００１２】
電動膨張弁の駆動時に、第１スイッチと第２スイッチを操作するとき、蓄電装置からの放電量が所定量まで立ち上がるまでに時間を要することに起因して、電動膨張弁に十分な電流が供給されないおそれがある。この点、この発明によれば、電動膨張弁の駆動前に、第１スイッチと第２スイッチとを上記のようの操作するため、電動膨張弁の駆動開始時点において電力供給不足により電動膨張弁の始動が遅れることを抑制することができる。
【００１３】
請求項４に記載の発明は、請求項１〜３のいずれか一項に記載の電源回路において、前記電動膨張弁の電力供給線には電源電圧が印加されていることを要旨としている。この発明によれば、蓄電装置の放電時に、電圧が維持されるため、より確実に電動膨張弁を駆動させることができる。
【００１４】
請求項５に記載の発明は、請求項１〜４のいずれか一項に記載の電源回路において、前記蓄電装置はコンデンサであることを要旨としている。
蓄電装置はコンデンサで構成されるため、蓄電装置を２次電池により構成する場合と比べて、電源回路の構成を簡単なものとすることができる。
【発明の効果】
【００１５】
本発明によれば、電動膨張弁を駆動する駆動期間において、第１スイッチにより駆動用電源回路と蓄電装置との間を非接続状態にするとともに第２スイッチにより蓄電装置と電動膨張弁との間を接続状態にして電動膨張弁に電力供給する。一方、電動膨張弁を駆動しない非駆動期間においては、第１スイッチにより駆動用電源回路と蓄電装置との間を接続状態にするとともに第２スイッチにより蓄電装置と電動膨張弁との間を非接続状態にする。これにより、供給電流量が小さい電動膨張弁の駆動用の電源回路を提供することができる。
【図面の簡単な説明】
【００１６】
【図１】本発明の実施形態の空気調和機についてその全体構成を示す全体図。
【図２】同実施形態の電動膨張弁の電源回路について、その構成を示すブロック図。
【図３】同実施形態の電源回路について、電動膨張弁の駆動期間と第１スイッチと第２スイッチとの駆動時期との関係を示すタイミングチャート。
【図４】従来の電源回路について、その構成を示すブロック図。
【発明を実施するための形態】
【００１７】
図１〜図３を参照して、本発明の一実施形態について説明する。
図１を参照して、本実施形態の電源回路を備える空気調和機の構成を示す。
空気調和機１は、室内に設けられる室内熱交換器２と、冷媒を膨張させるための電動膨張弁３と、室外に設けられる室外熱交換器４と、冷媒を圧縮する圧縮機５と、冷媒の流れの方向を切り換える四路切換弁６と、電動膨張弁３等を制御する制御装置１０とを備えている。室外熱交換器４は、冷房運転時には凝縮器として機能するとともに、暖房運転時には蒸発器として機能する。室内熱交換器２は、冷房運転時には蒸発器として機能するとともに、暖房運転時には凝縮器として機能する。
【００１８】
室外熱交換器４には、暖房運転における低圧側の飽和冷媒温度を検出するための第１温度センサ１１が設けられている。第１温度センサ１１は室外熱交換器４が蒸発器として動作するときの入口側に設けられている。以下の説明においては、第１温度センサ１１により検出される値を第１温度ＴＥＡとする。
【００１９】
室内熱交換器２には、冷房運転における低圧側の飽和冷媒温度を検出するための第２温度センサ１２が設けられている。第２温度センサ１２は、室内熱交換器２が蒸発器として動作するときの入口側に設けられている。以下の説明においては、第２温度センサ１２により検出される値を第２温度ＴＥＢとする。
【００２０】
四路切換弁６は、冷房運転時に、圧縮機５の出口を室外熱交換器４側に流路に接続するとともに圧縮機５の入口を室内熱交換器２側に流路に接続する。暖房運転時には、圧縮機５の出口を室内熱交換器２側に流路に接続するとともに圧縮機５の入口を室外熱交換器４側に流路に接続する。これにより、室外熱交換器４および室外熱交換器４の機能を反転させる。
【００２１】
圧縮機５は冷媒を圧縮する。圧縮機５には、冷媒の吸入側に冷媒温度を検出する第３温度センサ１３が設けられている。以降、第３温度センサ１３により検出される値を第３温度ＴＥＣとする。第１温度センサ１１および第２温度センサ１２および第３温度センサ１３は上記制御装置１０に接続されている。
【００２２】
制御装置１０は、暖房運転時に、第１温度ＴＥＡと第３温度ＴＥＣとに基づいて暖房運転時の過熱度を算出する。また、制御装置１０は、冷房運転時に、第２温度ＴＥＢと第３温度ＴＥＣとに基づいて冷房運転時の過熱度を算出する。そして、各運転時の過熱度に基づいて吸入ガス冷媒の目標温度が設定されるとともに、各運転時に吸入ガス冷媒の温度が目標温度となるように、電動膨張弁３の開度が制御される。
【００２３】
電動膨張弁３は、冷媒の流路に設けられる弁体と、弁体が嵌り込む弁座と、弁体を移動させるステッピングモータ４０とを備えている。ステッピングモータ４０は、４個のコイル４１を備えるステータと、ステータに対して軸方向に移動するロータとを備えている。なお、弁体は、ロータの先端に連結されている。ステッピングモータ４０は、制御装置１０のＰＩＤ制御に基づいて駆動される。
【００２４】
図２を参照して、電動膨張弁３を動作させるための電源回路２０について説明する。
電源回路２０は、商用電源の交流電源を整流して電圧電源を形成する駆動用電源回路２１と、駆動用電源回路２１からの電力供給により充電する蓄電装置２２と、第１スイッチ２３と、第２スイッチ２４と、第１スイッチ２３および第２スイッチ２４を制御する制御回路２５とを備えている。なお、制御回路２５は、上記制御装置１０内に含まれている。
【００２５】
駆動用電源回路２１は、電動膨張弁３およびその他の電装部品３０（負荷）を動作させるための電源電圧ＶＣＣを形成する。具体的には、電源電圧ＶＣＣは、電動膨張弁３の動作電圧範囲内の値をとる。駆動用電源回路２１の供給電流量は、電動膨張弁３の最大消費電流量よりも小さい。なお、この供給電流量は、電源回路２０の供給電流量と同じ値になっている。
【００２６】
駆動用電源回路２１を構成する電子部品は、駆動用電源回路２１の供給電流量に応じて選択される。例えば、レギュレータとしては、従来構造の駆動用電源回路２１で採用されているものに比べて、最大出力電流の小さいものが採用されている。また、パワートランジシタとしては、従来構造の駆動用電源回路２１で採用されているものに比べて、コレクタ許容電流量の小さいものが採用されている。このような構成により、従来構造の駆動用電源回路２１に比べて、駆動用電源回路２１が小さくなる。上記従来構成の駆動用電源回路２１とは、駆動用電源回路２１の供給電流量を電動膨張弁３の最大消費電流量よりも大きく設定した回路を示す。
【００２７】
第１スイッチ２３は、コレクタ許容電流量が、電動膨張弁３の最大消費電流量よりも小さくかつ駆動用電源回路２１の供給電流量よりも大きいトランジスタにより、構成されている。一方、第２スイッチ２４は、電動膨張弁３の最大消費電流量よりも大きいコレクタ許容電流量を有するトランジスタにより構成されている。
【００２８】
第１スイッチ２３および第２スイッチ２４は次のように動作する。
第１スイッチ２３は、駆動用電源回路２１と蓄電装置２２との間を接続状態および非接続状態に切り換える。すなわち、第１スイッチ２３が閉状態のとき駆動用電源回路２１と蓄電装置２２との間を接続状態とする。第１スイッチ２３が開状態のとき駆動用電源回路２１と蓄電装置２２との間を非接続状態とする。
【００２９】
第２スイッチ２４は、蓄電装置２２と電動膨張弁３の間を接続状態および非接続状態に切り換える。すなわち、第２スイッチ２４が閉状態のとき蓄電装置２２と電動膨張弁３との間を接続状態とする。第２スイッチ２４が開状態のとき蓄電装置２２と電動膨張弁３の間を非接続状態とする。
【００３０】
ステッピングモータ４０には、ステータの各コイル４１に電流を流すためのモータ駆動回路４３が接続されている。モータ駆動回路４３には、各コイル４１とグランドとの間を接続状態および非接続状態とに切り換える内部スイッチが設けられている。内部スイッチは、制御装置１０から出力される駆動信号に基づいて駆動される。この駆動信号は、上記ＰＩＤ制御に基づいて形成されるものである。
【００３１】
ステッピングモータ４０は第２スイッチ２４を介して蓄電装置２２に接続されている。すなわち、ステッピングモータ４０は蓄電装置２２からの供給電力により動作する。なお、ステッピングモータ４０の電力供給線４２には電源電圧ＶＣＣが印加されている。これにより、下記に示すように第１スイッチ２３が開状態となるとともに第２スイッチ２４が閉状態となったとき、コンデンサの電位が維持される。
【００３２】
第１スイッチ２３および第２スイッチ２４は次のように制御される。
電動膨張弁３を駆動しない期間は、第１スイッチ２３が閉状態されるとともに第２スイッチ２４が開状態される。すなわち、駆動用電源回路２１と蓄電装置２２とが接続状態にされるとともに、蓄電装置２２と電動膨張弁３とが非接続状態にされる。これにより、蓄電池が充電される。
【００３３】
一方、電動膨張弁３が駆動する期間は、第１スイッチ２３が開状態にされるとともに第２スイッチ２４が閉状態にされる。すなわち、駆動用電源回路２１と蓄電装置２２とが非接続状態にされるとともに、蓄電装置２２と電動膨張弁３とが接続状態にされる。これにより、蓄電池が放電する。
【００３４】
制御装置１０は、電動膨張弁３を駆動するための駆動信号を出力する。駆動信号はモータ駆動回路４３に入力される。モータ駆動回路４３は、駆動信号に基づいて各コイル４１に接続されている内部スイッチを駆動し、これにより電動膨張弁３の弁体を移動させる。
【００３５】
蓄電装置２２は、コンデンサおよび抵抗（図示省略）により構成されている。蓄電装置２２としては、電動膨張弁３を１回動作させるために必要な電力量以上の電力を充電することのできるものが採用されている。電動膨張弁３の１回の動作とは、最小の開度から最大の開度に弁体を駆動するときに消費される電力量と、コイル４１に電流を流したときから弁体が実際に動きだすまでに消費される電力量と、弁体を移動させるときに電力量不足にならないように設定されている補正電力量との総和として与えられる。
【００３６】
次に、空気調和機１の動作を説明する。
冷房運転時には、室外熱交換器４で凝縮液化された冷媒が電動膨張弁３で減圧された後、室内熱交換器２で蒸発し、圧縮機５に戻る。一方、暖房運転時には、室内熱交換器２で凝縮液化された冷媒が電動膨張弁３で減圧された後、室外熱交換器４で蒸発して圧縮機５に戻る。電動膨張弁３の開度調整は、上記したように第１温度ＴＥＡおよび第２温度ＴＥＢおよび第３温度ＴＥＣに基づいて行われる。この開度調整は周期的に実行される。例えば、２０秒に１回実行される。また電動膨張弁３の開度調整は０．１秒以内で行われる。
【００３７】
図３を参照して、電動膨張弁３の駆動時期と第１スイッチ２３と第２スイッチ２４との駆動時期との関係を説明する。
時刻ｔ１、すなわち電動膨張弁３の駆動時期よりも所定期間ＴＡ前の時期、第１スイッチ２３が開状態にされるとともに第２スイッチ２４が閉状態にされる。これにより、蓄電装置２２の放電が開始される。
【００３８】
時刻ｔ２、すなわち電動膨張弁３を駆動するとき制御装置１０からモータ駆動回路４３に駆動信号が出力される。これにより、電動膨張弁３の所定のコイル４１に電流が流れ、弁体が移動する。蓄電装置２２からコイル４１に電流が流れるため、蓄電装置２２の電位が低下する。
【００３９】
時刻ｔ３、すなわち駆動信号の出力が停止されたとき、電動膨張弁３のコイル４１に電流が流れなくなり、弁体が止まる。蓄電装置２２から放電が停止するため、蓄電装置２２の電位の低下が停止する。
【００４０】
時刻ｔ４、すなわち電動膨張弁３の駆動時期よりも所定期間ＴＢ経過したとき、第１スイッチ２３が閉状態にされるとともに第２スイッチ２４が開状態にされる。これにより、蓄電装置２２の充電が開始される。
【００４１】
時刻ｔ５、すなわち第１スイッチ２３が閉状態にされるとともに第２スイッチ２４が開状態にされたときから所定期間経過したとき、蓄電装置２２の充電が完了し、蓄電装置２２の電位が駆動用電源回路２１の電源電圧ＶＣＣに対応する電位になる。
【００４２】
すなわち、電動膨張弁３が駆動する期間、すなわち第１スイッチ２３が開状態にされるとともに第２スイッチ２４が閉状態にされた時期から第１スイッチ２３が閉状態にされるとともに第２スイッチ２４が開状態にされる時期までの期間は、電動膨張弁３の駆動期間ＴＣとして、電動膨張弁３と蓄電装置２２との間が接続状態にされる。
【００４３】
一方、電動膨張弁３の駆動期間ＴＣ以外の期間は、すなわち第１スイッチ２３が閉状態にされるとともに第２スイッチ２４が開状態にされた時期から第１スイッチ２３が開状態にされるとともに第２スイッチ２４が閉状態にされる時期までの期間は、電動膨張弁３の非駆動期間ＴＤとして、電動膨張弁３と蓄電装置２２との間が非接続状態にされる。なお、電動膨張弁３の非駆動期間ＴＤは、蓄電装置２２の充電が完了するまでに要する最大時間よりも十分長い時間に設定されている。
【００４４】
本実施形態によれば以下の作用効果を奏することができる。
（１）本実施形態では、制御回路２５は、電動膨張弁３の駆動期間ＴＣにおいて、第１スイッチ２３を開状態にして駆動用電源回路２１と蓄電装置２２との間を非接続状態にするとともに、第２スイッチ２４を閉状態にして蓄電装置２２と電動膨張弁３との間を接続状態にし、電動膨張弁３に電力供給する。一方、電動膨張弁３の非駆動期間ＴＤにおいては、第１スイッチ２３を閉状態にして駆動用電源回路２１と蓄電装置２２との間を接続状態にするとともに、第２スイッチ２４を開状態にして蓄電装置２２と電動膨張弁３との間を非接続状態にする。
【００４５】
この構成によれば、電動膨張弁３が駆動しない非駆動期間ＴＤは、第１スイッチ２３および第２スイッチ２４を上記構成のように制御することにより、駆動用電源回路２１からの電力供給により蓄電装置２２を充電する。一方、電動膨張弁３が駆動する駆動期間ＴＣは、第１スイッチ２３および第２スイッチ２４を上記構成のように制御することにより、蓄電装置２２の放電により電動膨張弁３に電力を供給する。これにより、駆動用電源回路２１の供給電流量を電動膨張弁３の電流量よりも小さくすることができる。また、従来構造の電源回路２０に用いられていた電子部品よりも電流についての最大定格が小さい部品を用いて電源回路２０を構成することができるため、電源回路２０を小型にすることができる。
【００４６】
（２）上記実施形態では、第２スイッチ２４を構成するトランジスタのコレクタ許容電流量は、電動膨張弁３を駆動させるために必要な電流量よりも大きい。この構成によれば、蓄電装置２２からの放電量を、電動膨張弁３を駆動させるために必要な電流量相当の大きさにすることができる。これにより、第２スイッチ２４が過熱することを抑制するとともに電力不足に起因する電動膨張弁３の駆動停止が生じることを抑制することができる。
【００４７】
（３）上記実施形態では、制御回路２５は、電動膨張弁３の駆動前に、第１スイッチ２３により駆動用電源回路２１と蓄電装置２２との間を非接続状態にするとともに、第２スイッチ２４により蓄電装置２２と電動膨張弁３との間を接続状態にする。この構成によれば、電動膨張弁３の駆動開始時点において電力供給不足により電動膨張弁３の始動が遅れることを抑制することができる。
【００４８】
（４）上記実施形態では、電動膨張弁３の電力供給線４２には電源電圧ＶＣＣが印加されている。この構成によれば、蓄電装置２２の放電時に電圧が維持されるため、より確実に電動膨張弁３を駆動させることができる。
【００４９】
（５）上記実施形態では、蓄電装置２２をコンデンサにより構成する。これにより、蓄電装置２２を２次電池により構成する場合と比べて、電源回路２０の構成を簡単なものとすることができる。
【００５０】
（変形例）
なお、本発明の実施態様は上記実施形態にて例示した態様に限られるものではなく、これを例えば以下に示すように変更して実施することもできる。また以下の各変形例は、上記実施形態についてのみ適用されるものではなく、異なる変形例同士を互いに組み合わせて実施することもできる。
【００５１】
・上記実施形態では、電源回路２０の蓄電装置２２をコンデンサにより構成しているが、２次電池により構成することもできる。この構成によれば、蓄電量を増大することができる。
【００５２】
・上記実施形態では、第１スイッチ２３および第２スイッチ２４はトランジスタにより構成されているが、第１スイッチ２３および第２スイッチ２４を電磁開閉器により構成することもできる。
【符号の説明】
【００５３】
１…空気調和機、２…室内熱交換器、３…電動膨張弁、４…室外熱交換器、５…圧縮機、６…四路切換弁、１０…制御装置、１１…第１温度センサ、１２…第２温度センサ、１３…第３温度センサ、２０…電源回路、２１…駆動用電源回路、２２…蓄電装置、２３…第１スイッチ、２４…第２スイッチ、２５…制御回路、３０…電装部品、４０…ステッピングモータ、４１…コイル、４２…電力供給線、４３…モータ駆動装置、１２０…電源回路、１４１…コイル、１４０…モータ、１５０…電装部品。
【図１】
2012172719.tif 000003
【図２】
2012172719.tif 000004
【図３】
2012172719.tif 000005
【図４】
2012172719.tif 000006